(57)【要約】【課題】シルトフェンスの外側の水域における水中環境を良好にして、魚等の水棲動物に優しい環境を実現する。【解決手段】シルトフェンスは、水に浮く浮きとなるフロート部１と、フロート部１の下部に連結されたフェンス部２と、フェンス部２の下端に固定されたウエイト部３とを備えている。さらに、シルトフェンスは、フェンス部２が、可撓性を有するシート材５で構成されると共に、フェンス部２の表面の複数箇所に植物４を配置している。【選択図】図３
2019131969.tif 000002
【特許請求の範囲】
【請求項１】
水に浮く浮きとなるフロート部と、
前記フロート部の下部に連結されたフェンス部と、
前記フェンス部の下端に固定されたウエイト部と、
を備えるシルトフェンスであって、
前記フェンス部が、可撓性を有するシート材で構成されると共に、前記フェンス部の表面の複数箇所に植物を配置してなることを特徴とするシルトフェンス。
【請求項２】
請求項１に記載されるシルトフェンスであって、
前記フェンス部が、前記植物が配置される面の外観を緑色としてなるシルトフェンス。
【請求項３】
請求項１または２に記載されるシルトフェンスであって、
前記植物が、１株ないし複数株の個体を備える植物ユニット、あるいは１本ないし複数本の植物片を備える植物ユニットとして、前記フェンス部の表面に連結具を介して交換自在に配置されてなるシルトフェンス。
【請求項４】
請求項３に記載されるシルトフェンスであって、
前記植物が水生植物で、前記植物ユニットが前記水生植物を着生させる着生部材を備えることを特徴とするシルトフェンス。
【請求項５】
請求項３に記載されるシルトフェンスであって、
前記植物が陸上植物で、前記陸上植物を茎で裁断して植物片としてなるシルトフェンス。
【請求項６】
請求項３から５のいずれか一に記載されるシルトフェンスであって、
前記フェンス部は、前記シート材の表面が複数列の帯状の補強シートで補強されてなり、前記補強シートに前記植物ユニットが連結されてなるシルトフェンス。
【請求項７】
請求項６に記載されるシルトフェンスであって、
前記補強シートが、前記シート材の表面に上下左右に格子状に逢着されて前記シート材を補強しており、該補強シートの交差部に前記植物ユニットを連結してなるシルトフェンス。
【請求項８】
請求項１から７のいずれか一に記載されるシルトフェンスであって、
前記植物が、前記フェンス部の上部から下部にわたって配置されてなるシルトフェンス。
上記構成により、フェンス部の上部から下部にわたって植物を配置するので、水底に生息する水棲動物から、水面近くに生息する水棲動物まで、広範囲にわたって種々の水棲動物の生活環境を良化できる。
【請求項９】
請求項１ないし８のいずれか一に記載されるシルトフェンスであって、さらに、
前記フェンス部に配置された前記植物にエアーを供給するエアー供給装置を備えており、
前記エアー供給装置が、
前記フェンス部の下部に配置されて、供給されるエアーを気泡として吐出する気泡発生部と、
前記気泡発生部に給気ホースを介してエアーを供給するエアー供給ポンプとを備え、
前記気泡発生部から吐出される気泡を前記植物に供給するようにしてなるシルトフェンス。
【請求項１０】
請求項１ないし９のいずれか一に記載されるシルトフェンスであって、さらに、
前記フロート部を発光させる発光手段を備えており、
前記発光手段が、
前記フロート部に内蔵されたＬＥＤと、
前記ＬＥＤに電力供給する電源部と、
前記ＬＥＤの発光状態を制御する制御部とを備えており、
前記フロート部が、
浮き部材の周囲を被覆するカバー部を透光性部材として、内蔵されるＬＥＤの発光を外部に透過させるようにしてなるシルトフェンス。
【発明の詳細な説明】
【技術分野】
【０００１】
本発明は、海、河川、湖沼、池、ダム等の沿岸や水底の土木工事の際に、工事領域の周辺水域の周りに設置されて、工事に伴って発生する汚濁が外部の水域に拡散されるのを防止するシルトフェンスであって、とくに、シルトフェンスの外側の水域における水中環境を良好にするシルトフェンスに関する。
【背景技術】
【０００２】
海や河川、湖沼等において、護岸を整備したり、水底を浚渫する土木工事の際には、工事領域の水質が悪化する。とくに、油圧ショベル等の重機で水底や岸辺を掘削すると、水底の泥や土、へドロ等の沈殿物が掻き上げられて攪拌される結果、周辺水域に汚濁が発生して水質が汚染される。発生した汚濁が、工事領域の周辺水域だけでなく、さらに外部の広い水域にまで拡散すると、汚濁による環境悪化が懸念される。
【０００３】
このような工事領域からの汚濁の拡散を防止するために、工事領域の周囲には通常シルトフェンスが設置される。シルトフェンスは、水面に浮くフロート部と、このフロート部の下方に連結されたシート状のフェンス部と、フェンス部の下端に設けられた錘部と備え、沈降する錘部でフェンス部を上下に張設して、フェンス部を水中にスクリーン状に張設している。以上の構造のシルトフェンスは、フロート部を水面に浮遊させる状態で、フェンス部を水面から水底に向かって垂下させて設置して、工事領域の汚濁をフェンス部でブロックして、汚れが外部の水域に拡散するのを防止している。
【０００４】
以上のように、シルトフェンスは、土木工事中において、工事領域で発生する汚濁が外部の水域に拡散するのを防止する働きがある。しかしながら、このようなシルトフェンスは、工事が終了しても、直ちに撤去できない問題点がある。それは、工事終了後においても、工事領域の周辺水域には汚濁が残存しているからである。このため、工事が終了した後も、この水域の汚濁が改善されるまでシルトフェンスを撤去することができず、長期間にわたって、例えば数ヶ月、長い場合には１年以上もシルトフェンスを設置した状態に保持することがある。
【０００５】
このように、海や河川、湖沼等の護岸において、長期間にわたってシルトフェンスを設置した状態に保持するのは、その水域で生存する魚等の水棲動物にとって決して好ましい環境とは言えない。それは、人工物であるシート状のシルトフェンスが水中に張設された状態に保持されるからである。とくに、シルトフェンスは、水中の広い範囲にわたってシート状のフェンス部をスクリーン状に配置するため、小魚やエビ等の水棲動物が身を潜める場所がなく、大型の魚に狙われやすくなるため、これらの水棲動物が根付かなくなってしまう。
【０００６】
このため、長期間にわたって、このようなシルトフェンスが配置された水域にあっては、水中の生態系が崩れてしまい、シルトフェンスを除去した後も、水棲動物の生存環境が直ぐには元には戻らず、魚類が生存する環境になるまでに非常に長い時間が必要になる。特に、１度崩れた生態系は直ぐに元には戻らず、場合によっては、魚類が生存できない状態が永年的に継続される虞もある。
【先行技術文献】
【特許文献】
【０００７】
【特許文献１】特開２０１２−１８０７３３号公報
【発明の概要】
【発明が解決しようとする課題】
【０００８】
本発明は、従来のこのような問題点に鑑みてなされたものであり、その目的の一は、工事領域の周辺水域の周りに設置されるシルトフェンスの外側の水域における水中環境を良好にして、魚などの水棲動物に優しい水中環境を実現できるシルトフェンスを提供することにある。
【課題を解決するための手段及び発明の効果】
【０００９】
上記の目的を達成するために、本発明のシルトフェンスによれば、水に浮く浮きとなるフロート部１と、フロート部１の下部に連結されたフェンス部２と、フェンス部２の下端に固定されたウエイト部３とを備えるシルトフェンスであって、フェンス部２が、可撓性を有するシート材５で構成されると共に、フェンス部２の表面の複数箇所に植物４を配置している。
【００１０】
上記構成によると、フェンス部の表面の複数箇所に植物を配置しているので、植物が配置された面を汚濁領域の外側の水域に配置することで、シート材の表面に配置された植物を水中に設置して、水棲動物に優しい環境を実現することができる。水中に配置される植物は、水棲動物、例えば、小型の魚類や甲殻類、またはこれらの稚魚やプランクトン等の生物であって、とくに、食物連鎖の底辺側に属する水棲動物の隠れ家となり、これらの生物の生存環境を改善して、多数の水棲動物を根付かせることができる。このため、従来のシルトフェンスのように、水棲動物が警戒して近づかなくなるのを有効に防止して長期間にわたって水棲動物を保護して周辺水域の生態系が崩れるのを有効に防止できる。
【００１１】
本発明のシルトフェンスは、フェンス部２が、植物４が配置される面の外観を緑色とすることができる。
【００１２】
上記構成によると、フェンス部の表面であって植物が配置される面の外観を緑色とするので、水中に生息する水棲動物にストレスを与えることなく、種々の水棲動物が集まり易い環境を実現できる。このようにフェンス部の外観を緑色とするシルトフェンスは、魚付保安林と同様の効果により、森林色に近似する外観のフェンス部に水中の魚が根付くのを促進できる。
【００１３】
本発明のシルトフェンスは、植物４が、１株ないし複数株の個体を備える植物ユニット５、あるいは１本ないし複数本の植物片を備える植物ユニット７として、フェンス部２の表面に連結具１４を介して交換自在に配置することができる。
【００１４】
上記構成によると、フェンス部に配置される植物を、１株ないし複数株の個体、あるいは１本ないし複数本の植物片を備える植物ユニットとしてフェンス部の表面に連結具１４を介して交換自在に配置するので、フェンス部の複数箇所に対して簡単かつ容易に植物を配置できる。また、植物ユニットを連結具１４を介して交換自在に配置するので、植物が経時的に劣化したり、シルトフェンスを別の現場で使用する際には、植物を新しいものに交換しながら使用できる。
【００１５】
本発明のシルトフェンスは、植物４を水生植物４ａとして、植物ユニット７が水生植物４ａを着生させる着生部材２１を備えて、この着生部材２１に水生植物４ａを着生させることができる。
【００１６】
上記構成によると、植物を水生植物として、植物ユニットが水生植物を着生部材に着生させることで、長期間にわたって植物を水中で生存させることができる。
【００１７】
本発明のシルトフェンスは、植物４を陸上植物４ｂとして、陸上植物４ｂを茎で裁断して植物片とすることができる。
【００１８】
上記構成によると、植物を陸上植物とすると共に、この陸上植物を茎で裁断して植物片とし、１本ないし複数本の植物片で植物ユニットを構成するので、身近に多く存在する陸上植物を使用することで、簡単かつ安価に植物を調達しながらフェンス部の表面に植物を配置できる。
【００１９】
本発明のシルトフェンスは、フェンス部２が、シート材５の表面を複数列の帯状の補強シート６で補強して、補強シート６に植物ユニット７を連結することができる。
【００２０】
上記構成によると、シート材を補強シートで補強することで、フェンス部全体を補強できると共に、この補強シートに植物ユニットを連結することで、植物ユニットの連結部分が破損するのを有効に防止できる。とくに、シルトフェンスは、全体の重量を軽量化し、かつ体積を小さくするために、シート材を薄くして軽量にすることが好ましいが、このように薄くて軽いシート材は破損しやすくなる。このシルトフェンスは、シート材を補強シートで補強するので、シート材が破損するのを有効に防止して長期間にわたって使用できる。とくに、このシルトフェンスは、補強シートを帯状として複数列に配置するので、全体の重量や体積が大きく増加するのを抑制しながらフェンス部全体を効果的に補強できる。
【００２１】
本発明のシルトフェンスは、補強シート６をシート材５の表面に上下左右に格子状に逢着してシート材５を補強し、補強シート６の交差部に植物ユニット７を連結することができる。
【００２２】
上記構成によると、シート材の表面に逢着される補強シートを上下左右に配置して格子状に連結するのでシート材をより強固に補強できる。とくに、補強シートをシート材の上下左右に逢着する構造は、シルトフェンスの上下方向の強度と長さ方向の強度を効果的に強化できる。シルトフェンスは、シート材で構成されるフェンス部の下端にウエイト部を備えているので、水中に設置し、あるいは水中から引き上げる際にシート材に負荷がかかりやすくなるが、シート材の表面に上下方向に補強シートを逢着して補強することで、このような負荷に対して効果的に補強でき、シート材の破損を有効に防止できる。また、シルトフェンスは、河川や沿岸に設置されるので、水流や潮の干満により長さ方向に負荷を受けることがあるが、シート材の表面に左右方向に補強シートを逢着することで、シルトフェンスの長さ方向における強度を強くしてシート材が破損するのを有効に防止できる。さらに、格子状に逢着される補強シートの交差部に植物ユニットを連結するので、植物ユニットの連結部分にかかる負荷を、交差する補強シートで支持して、シート材が破損するのを効果的に防止できる。
【００２３】
本発明のシルトフェンスは、植物４をフェンス部２の上部から下部にわたって配置することができる。
【００２４】
上記構成により、フェンス部の上部から下部にわたって植物を配置するので、水底に生息する水棲動物から、水面近くに生息する水棲動物まで、広範囲にわたって種々の水棲動物の生活環境を良化できる。
【００２５】
本発明のシルトフェンスは、さらに、フェンス部２に配置された植物４にエアーを供給するエアー供給装置８を備えることができる。エアー供給装置８は、フェンス部２の下部に配置されて、供給されるエアーを気泡として吐出する気泡発生部６１と、気泡発生部６１に給気ホース６２を介してエアーを供給するエアー供給ポンプ６３とを備えて、気泡発生部６１から吐出される気泡を植物４に供給することができる。
【００２６】
上記構成により、フェンス部の下部に配置された気泡発生部から気泡を吐出することで、フェンス部に配置された植物にエアーを供給できる。これにより、フェンス部に配置された植物や、この植物を隠れ家として生息する水棲動物に多量の酸素を供給でき、フェンス部の近傍における生活環境をさらに良好にできる。
【００２７】
本発明のシルトフェンスは、さらに、フロート部１を発光させる発光装置９を備えることができる。発光装置９は、フロート部１に内蔵された発光素子６５と、発光素子６５に電力供給する電源部６６と、発光素子６５の発光状態を制御する制御部６７とを備えて、フロート部１が、浮き部材１１の周囲を被覆するカバー部１２を透光性部材として、内蔵される発光素子６５の発光を外部に透過させることができる。
【００２８】
上記構成により、フロート部に内蔵された発光素子を発光させることで、夜間等において、フロート部の位置を周囲に知らせることができ、近辺を通過する船舶にシルトフェンスの位置を明確に表示することができる。これにより、夜間等における周辺水域の安全を確保できる。
【図面の簡単な説明】
【００２９】
【図１】本発明の一実施形態にかかるシルトフェンスの使用状態を示す平面図である。
【図２】図１に示すシルトフェンスの使用状態を示す断面図である。
【図３】図２に示すシルトフェンスを外側から見た正面図である。
【図４】図３に示すシルトフェンスの拡大正面図である。
【図５】植物ユニットの他の一例を示す斜視図である。
【図６】植物ユニットの他の一例を示す斜視図である。
【図７】植物ユニットの他の一例を示す斜視図である。
【図８】植物ユニットの他の一例を示す斜視図である。
【図９】植物ユニットの他の一例を示す斜視図である。
【図１０】シルトフェンスの他の一例を示す正面図である。
【図１１】本発明の他の実施形態にかかるシルトフェンスの正面図である。
【図１２】図１１に示すシルトフェンスの使用状態を示す断面図である。
【図１３】本発明の他の実施形態にかかるシルトフェンスの正面図である。
【図１４】本発明の他の実施形態にかかるシルトフェンスの拡大正面図である。
【発明を実施するための形態】
【００３０】
以下、本発明に係る実施形態及び実施例を、図面に基づいて説明する。ただし、以下に示す実施形態及び実施例は、本発明の技術思想を具体化するためのシルトフェンスを例示するものであって、本発明は、シルトフェンスを以下のものに特定しない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００３１】
本発明のシルトフェンスは、海、河川、湖沼、池、ダム等の沿岸や水底の土木工事において、工事領域の周辺水域の周りに設置されて、工事に伴って発生する汚濁が外部の水域に拡散されるのを防止する。さらに、本発明のシルトフェンスは、汚濁が外部に拡散するのを防止することに加えて、シルトフェンスの外側の水域における水中環境を良好にして、魚等の水棲動物に優しい環境を実現できるようにしている。なお、本明細書において、海、河川、湖沼、池、ダム等の沿岸や水底で行われる土木工事とは、護岸工事、浚渫工事、埋め立て工事、港湾工事、改修工事等の種々の工事を含む広い意味で使用する。
【００３２】
本発明のシルトフェンスは、図１に示すように、沿岸で施工される土木工事により工事領域５１の周辺水域の汚濁が外部に拡散するのを防止するために、工事領域５１の周囲に沿って設置される。図１は、海岸で土木工事が行われる際に、この工事領域５１の周辺水域を囲む状態でシルトフェンス１００を設置して、工事領域５１の周辺水域と外部の水域とを遮断する状態を示している。ここで、工事領域５１の周辺水域であって、シルトフェンス１００に囲まれる水域は、工事により発生する汚濁が拡散される汚濁領域５２となる。シルトフェンス１００は、汚濁領域５２の汚濁が外部に拡散するのを防止している。
【００３３】
（実施形態１）
図１ないし図３に示すシルトフェンス１００は、水に浮く浮力を有するフロート部１と、このフロート部１の下部に連結されて水面から水底に向かって配置されたフェンス部２と、フェンス部２の下端に連結されたウエイト部３と、フェンス部２の表面の複数箇所に配置された植物４とを備えている。図のシルトフェンス１００は、フェンス部２の片側面であって、汚濁水域５２の外側の水域に対向する面に植物４を配置している。
【００３４】
図１に示すシルトフェンス１００は、工事領域５１の周辺の汚濁水域５２を完全にカバーできる全長を有している。すなわち、フロート部１、フェンス部２、及びウエイト部３の全長を、汚濁水域５２をカバーできる全長として、工事領域５１から発生する汚濁を汚濁水域５２内で封じ込めて、外部の水域に広がるのを防止している。このシルトフェンス１００は、図１に示すように、工事領域５１から所定の距離だけ離れた位置に配置される。シルトフェンス１００を汚濁水域５２の定位置に固定するために、図１に示すシルトフェンス１００は、所定の全長を有するフロート部１の中間部の複数箇所に、サブフロート３１とアンカー３２を連結して固定している。図１と図２に示すシルトフェンス１００は、フロート部１の両側に上部ワイヤー等の連結線材３３を介してサブフロート３１を連結すると共に、これ等のサブフロート３１に、アンカーワイヤー３４を介してアンカー３２を固定している。アンカー３２は水底に設置する状態で配置されており、その自重によって、シルトフェンス１００を定位置に保持して、シルトフェンス１００が潮流やうねり、干満等で移動するのを防止している。
【００３５】
（フロート部１）
フロート部１は、図３に示すように、水に浮く浮力を有する浮き部材１１を備えている。浮き部材１１には、円柱状の発泡スチロールや中空状のプラスチック容器等の大きな浮力を有する部材が使用できる。フロート部１は、発泡スチロールやプラスチック容器からなる浮き部材１１をカバー部１２で被覆して定位置に保持している。カバー部１２は、例えば、可撓性を有するシート材を筒状に形成したもので、内部に浮き部材１１を収納すると共に、複数個の浮き部材１１を長さ方向に数珠状に連結してフロート部１としている。
【００３６】
フロート部１は、筒状のカバー部１２に収納される複数の浮き部材１１を隙間なく配置することができる。このフロート部１は、水面上からの汚濁の拡散を確実に防止できる。ただ、フロート部１は、筒状のカバー部１２に収納される複数の浮き部材１１を多少の隙間を設けて配置することもできる。このフロート部１は、隣接する浮き部材１１の間の隙間において、容易に折曲させることができ、水面上に設置されるフロート部１の自由度を向上できる。図３に示すフロート部１は、浮き部材１１の両端面のコーナー部を湾曲面状に面取りしており、隣接する浮き部材１１の境界においてフロート部１を折曲し易くしている。
【００３７】
（フェンス部２）
フェンス部２は、水中にスクリーン状に配置されるシート材５を備えており、水面から水底にわたって配置されて汚濁水域５２の汚濁が外部に拡散するのを防止する。フェンス部２のシート材５は、可撓性を有しており、好ましくは液体成分は透過させるが、固体成分は通過させないものを使用する。このようなシート材５として、例えば、ポリエステル等のプラスチック繊維を所定の大きさの目となるように形成された織物シートや編物シート、あるいはプラスチックシートが使用できる。ただ、フェンス部２には、液体成分を透過させない非透水性シートを使用することもできる。
【００３８】
さらに、フェンス部２は、好ましくは植物４が配置される面の外観を緑色とする。このシルトフェンス１００は、植物４が配置される外側面の外観を緑色とすることで、水中に生息する水棲動物が集まり易い環境を実現できる。とくに、フェンス部２の外観を緑色とするシルトフェンス１００は、古くから伝承されてきた魚付保安林と同様の効果が期待でき、水中に生息する魚にストレスを与えることなく、優しい環境を実現してこれらの魚が根付くのを促進できる。
【００３９】
このように、外観を緑色とするフェンス部２は、好ましくはシート材５として緑色に着色されたものを使用する。本明細書において、緑色とは、黄緑色のような明るい緑色から、深緑色のような暗い緑色までを含む広い意味で使用する。緑色のシート材５は、単色で色合いが均一なものとすることもできるが、部分的に濃淡をつけることもでき、また複数の領域によって色合いや濃淡を変化させてもよい。とくに、水棲動物が違和感を感じることのない自然な濃淡や色合い、例えば迷彩柄とすることもできる。なお、水中に浸漬して使用されるシルトフェンス１００は、深くて視界の悪い水底部に配置した状態では、太陽光が届きにくくなるため、地上における色合いよりも暗く見えることがある。したがって、本明細書においてシート材を緑色にするとは、水中に沈める前の状態、すなわち、地上での色調を意味するものとする。
【００４０】
シート材５は、水棲動物のストレスや警戒心を軽減し、かつ魚が好んで接近するようにするために緑色とすることが好ましいが、本発明は、必ずしもシート材の色を緑色には特定しない。シート材は、シルトフェンスとして最も一般的に使用される白色とすることも、茶色や黒色、紫色等の暗い色とし、あるいは青色、黄色、ベージュ色のような明るい色とすることもできる。
【００４１】
さらに、図３に示すフェンス部２は、シート材５を補強するために、シート材５の表面に複数列の帯状の補強シート６を連結している。図に示す補強シート６は、布地、織布、不織布、あるいはプラスチック繊維からなる織物シートや編物シート等のシート部材を細長い帯状としたもので、シート材５よりも強度が強いものを使用する。フェンス部２は、この帯状の補強シート６をフェンス部２の外周縁に沿って逢着して外周部を補強すると共に、フェンス部２の中間部には複数列にわたって上下左右に格子状に逢着することでシート材５を補強している。
【００４２】
図３に示すフェンス部２は、全体として大きな１枚のシート状に形成しているが、その製造工程においては、複数枚のシート材５を外周縁部で連結することで所望の大きさに形成することができる。例えば、１枚のフェンス部２の大きさを、上下幅（Ｈ）が１５ｍ、全長（Ｌ）が２０ｍとする場合、１ｍ〜数ｍの縦横の長さを有するシート材５を複数枚つなぎ合わせることで所定の大きさのフェンス部２とすることができる。このような場合においても、複数のシート材５のつなぎ目となる連結部分を補強シート６を介して逢着することで、連結部分の強度を高めて補強し、この部分から分離するのを有効に防止できる。
【００４３】
補強シート６は、複数のシート材５のつなぎ目だけでなく、１枚のシート材５の中間部にも逢着して補強される。フェンス部２の中間部において、上下方向に逢着される補強シート６は、フェンス部２の上端から下端にわたって設けられる。これにより、フェンス部２の上下方向の強度を効果的に強化できる。また、フェンス部２の中間部に左右方向に逢着される補強シート６は、フェンス部２の両端を連結する状態で設けられる。これにより、フェンス部２の長さ方向の強度を効果的に強化できる。シルトフェンス１００は、水中に浸漬した状態から水面上に引き上げる際には、下端部にウエイト部３が固定され、かつ全体が水分を含んでいるため全体の重量が大きくなる。このため、フェンス部２の外周部及び中間部に複数列の帯状の補強シート６を上下左右に格子状に逢着することで、フェンス部２全体の強度を強くすることができ、シルトフェンス１００を引き上げる際にシート材が破損するのを有効に防止できる。
【００４４】
ここで、シート材５に複数列にわたって逢着される補強シート６の間隔（ｋ）は狭くするほどフェンス部２の強度を高くすることができる。反対に補強シート６の間隔（ｋ）を広くすると、製造にかかる手間を低減して低コストにできる。したがって、フェンス部２は、これらのことを考慮して使用する補強シート６の材質、横幅（ｄ）、隣接する補強シート６同士の間隔（ｋ）を決定する。例えば、補強シート６として布材を使用する場合、補強シート６の横幅（ｄ）を３〜１０ｃｍ、好ましくは４〜８ｃｍとし、補強シート６間の間隔（ｋ）を３０ｃｍ〜２００ｃｍ、好ましくは５０ｃｍ〜１００ｃｍとする。
【００４５】
フェンス部２は、好ましくは補強シート６についても緑色とする。これにより、フェンス部２の表面全体を緑色の外観とすることができる。ただ、補強シート６は、シート材５に比較してフェンス部２全体に対する面積が小さいので、必ずしも緑色に特定することはなく、他の色調、例えば、黒色や茶色、紫色、青色、黄色、ベージュ色等とすることもできる。
【００４６】
フェンス部２は、周辺水域５２の汚濁が外部に拡散するのを防止するために、好ましくは水面から水底まで延長された上下幅（Ｈ）を有する。さらに、フェンス部２は、図２に示すように、水中に上下方向に配置された状態で前後方向にたわむことができるように、可撓性を有している。可撓性を有するフェンス部２は、図示しないが、海で使用される場合においては、潮の干満やうねり等によって海面が上下動することがあるが、このような場合においても下端のウエイト部３が海底から離れることがないように、十分な上下幅（Ｈ）を有することが好ましい。たとえば、干潮時における水深を５ｍとする海域においては、この水深よりも１ｍ以上、好ましくは３ｍ以上大きな上下幅（Ｈ）とする。これにより、下端に設けたウエイト部３が海底から離れて、この隙間から汚濁が外部に漏れるのを防止できる。以上のように、フェンス部２は、これを使用する水域の水深や潮の干満等を考慮して最適な上下幅（Ｈ）とすることができる。
【００４７】
（ウエイト部３）
ウエイト部３は、フェンス部２の下端縁に沿って設けられた錘である。ウエイト部３は、自重で水底まで沈降すると共に、フェンス部２の下端を下方に引っ張って水底まで沈降させる比重を有する。このようなウエイト部３として金属製のチェーンが使用できる。金属製のチェーンであるウエイト部３は、複数のリングを連結することで、自由な形状に変形可能であって、水底に沿って敷設される状態で、水底面との間に隙間を生じさせることなく理想的に沈降できる。このような金属として、鉄や鉛等の比重の大きな金属が使用できる。とくに、鉄製のチェーンは汎用性に優れて安価で加工が簡単である。
【００４８】
チェーンであるウエイト部３は、図３に示すように、複数箇所がフェンス部２の下端に連結されてフェンス部２に固定される。以上のウエイト部３は、水底に接触するまで沈降することでフェンス部２の下端を水底まで沈降させて、シート状のフェンス部２を水中にスクリーン状に広げた状態で配置することができる。
【００４９】
図３に示すシルトフェンス１００は、フロート部１、フェンス部２、及びウエイト部３からなるフェンスユニット１０を形成しており、このフェンスユニット１０を複数連結することで、図１に示すように、工事領域５１の汚濁水域５２全体をカバーできる全長に形成される。フロート部１は、複数の浮き部材１１を収納してなるカバー部１２の対向する端縁が互いに連結される。フェンス部２は対向する側縁が互いに連結される。ウエイト部３は、対向する端縁を互いに連結することができる。このような連結には、図示しないが、ロープや連結金具等が使用できる。
【００５０】
（植物４）
植物４は、フェンス部２の表面の複数箇所に配置される。図２に示すシルトフェンス１００は、フェンス部２の片側面であって、汚濁水域５２の反対側の面、すなわち外側水域５３に対向する面に植物４を配置している。この植物４は、外側水域５３の水中に配置されて、外側水域５３における水中環境を良好にして、外側水域５３に生息する水棲動物の生存環境を保護する。
【００５１】
（植物ユニット７）
植物４は、図４〜図６に示すように１株ないし複数株の個体を備える植物ユニット７とし、あるいは１本ないし複数本の植物片を備える植物ユニット７としてフェンス部２の表面に配置される。フェンス部２に配置される植物４は、好ましくは、複数株の個体、または複数本の植物片を一つに束ねた植物ユニット７として、複数の植物ユニット７を所定の配列でフェンス部２に配置される。このように、複数の植物４を一つに束ねてフェンス部２に配置する構造は、フェンス部２の表面に効率よく多数の植物４を配置できる。ただ、植物は、必ずしも複数株または複数本を一つに束ねた植物ユニットとして配置する必要はなく、植物ユニット７を１株の個体、または１本の植物片で構成することもできる。
【００５２】
フェンス部２に配置される植物４には、水生植物４ａを使用することができる。水生植物４ａは、例えば、淡水中で生息する水草や水藻とし、あるいは海水中で生息する海草や海藻とすることができる。これらの水生植物４ａは、水中で生存できるため、水中に配置される植物として長期間にわたって理想的に配置される。このような水生植物４ａの選択は、シルトフェンス１００が設置される水域に応じて決定することができる。例えば、河川や湖沼等の淡水域に設置されるシルトフェンスでは、淡水中で生息する水草や水藻を使用し、沿岸部等の海水域に設置されるシルトフェンスでは、海水中で生息する海草や海藻を使用することで、長期間にわたって植物４を生存状態に保持できる。ただ、水生植物４ａは、必ずしも淡水域と海水域とで使用する植物を区別する必要はなく、淡水域や汽水域に設置されるシルトフェンスに海水中で生息する海草や海藻を使用し、海水域や汽水域に設置されるシルトフェンスに淡水中で生息する水草や水藻を使用することもできる。
【００５３】
植物４を水生植物４ａとする植物ユニット７は、図４〜図６に示すように、水生植物４ａを着生させる着生部材２４を備えて、この着生部材２４に水生植物４ａを着生させることができる。着生部材２４は、水生植物４ａの根や仮根を侵入させて張り巡らせることができるような部材であって、好ましくは無数の空隙を有する多孔質な部材が使用できる。このような着生部材２４として、連続気泡を有するプラスチック発泡体２４Ａ、例えばウレタンフォームやポリエチレンフォーム等からなるブロック材、あるいは軽石や火山石等の多孔質な岩石２４Ｂ、あるいはまた多孔質に焼成されたセラミック等の焼成体が使用できる。これらの着生部材２４は、植物２４の根や仮根を着生させることで、植物２４を強固に固着でき、また、植物２４の生育に適した状態で水中に配置できる。ただ、着生部材２４は、必ずしも多孔質な部材には特定せず、図６に示すように、流木や古木のように、表面にひび割れやすき間を有する木材２４Ｃを使用することもできる。このように、植物２４の根や仮根を着生させる着生部材２４は、無数の隙間に根や仮根を侵入させることで植物２４を強固に固着できる。ただ、着生部材２４に根が固着するには時間がかかるので、図６に示すように、線材や紐状体からなる結束材２５を介して着生部材２４の表面に植物２４を固定してもよい。着生部材２４の表面に固定された植物２４の根や仮根は、経時的に着生部材２４に着生するからである。
【００５４】
さらに、植物ユニット７は、複数の植物２４を収納部材２６に収納することもできる。このような収納部材２６として、図７に示すように、植物栽培用として汎用されるプラスチック製のポット２６Ａが使用できる。さらに、収納部材２６には、木製や竹製のポットを使用することも、あるいは、図８に示すように、木製、竹製、またはプラスチック製の筒体２６Ｂを使用することもできる。これらの収納部材２６は、内部に複数の植物４を収納して固定した状態で植物ユニット７としてフェンス部２に連結し、あるいは、植物４の根や仮根を着生部材２４に固着させた状態で内部に収納して植物ユニット７としてフェンス部２に連結することができる。
【００５５】
さらに、植物ユニット７としてフェンス部２に配置される植物４は、必ずしも水生植物４ａとする必要はなく、図９に示すように、陸上植物４ｂとすることもできる。陸上植物４ｂである植物４は、水中では生存できないが、このような陸上植物４ｂを水中に配置しても直ぐには枯れることなく、しばらくの間は、葉や茎が劣化することなく、ある期間は植物の葉が茂った状態に保持されるからである。このような陸上植物４ｂは、例えば、陸上で繁った木や草を茎や枝で裁断して植物片とし、１本ないし複数本の植物片で植物ユニットを構成してフェンス部２に連結することができる。
【００５６】
（連結具１４）
以上の植物ユニット７は、連結具１４を介してフェンス部２の表面の複数箇所に連結される。図４に示す植物４は、複数株の水草を束ねて植物ユニット７としており、この植物ユニット７を連結具１４を介してフェンス部２の表面に交換自在に連結している。図に示す植物ユニット７は、連結具１４を線材や紐である紐状体１４Ａとしており、この紐状体１４Ａをフェンス部２に設けた連結部１３に結束して脱着自在に固定している。ただ、連結具１４は、紐状体１４Ａに特定せず、植物ユニットをフェンス部の連結部に脱着自在に連結できる他の全てのもの、例えば、線材、結束バンド、固定金具等が使用できる。
【００５７】
（連結部１３）
植物ユニット７は、連結具１４を介してフェンス部２に連結されるが、フェンス部２は、植物ユニット７を連結するための連結部１３を備えている。図３及び図４に示すフェンス部２は、短冊状のシート部材を中間で折り返すと共に、両端部を積層して固定具１５でフェンス部２に固定して輪状の連結部１３を設けている。連結部１３を構成するシート部材には、補強シート６と同じ材質のものを使用することができる。図に示す固定具１５は、ボルトとナットで、ボルトのねじ部をフェンス部２に貫通させると共に、裏面側においてナットを挿通することで連結部１３をフェンス部２に固定している。ただ、連結部１３は、シート部材の両端部をフェンス部２に逢着して固定することもできる。
【００５８】
さらに、図に示すフェンス部２は、シート材５の表面を複数列の帯状の補強シート６で補強しており、この補強シート６に連結部１３を固定している。このため、連結部１３に連結される植物ユニット７の負荷がかかる連結部分を補強シート６で支持することでシート材が損傷されるのを有効に防止できる。とくに、図３と図４に示すフェンス部２は、複数列の帯状の補強シート６を上下左右に延びる格子状に配置してシート材５に逢着しており、上下左右に交差する格子状に逢着される補強シート６の交差部６ｘに位置して連結部１３を固定している。この構造のフェンス部２は、格子状に配置される補強シート６の交差部分の強度が最も強くなる。したがって、植物ユニット７が連結される連結部１３を、補強シート６の交差部６ｘに固定する構造は、フェンス部２の最も補強された部分を連結部１３との連結部分として、フェンス部２、とくにシート材５の損傷を効果的に防止しながら植物ユニット７を安定して定位置に保持できる。
【００５９】
以上のように、短冊状のシート部材を中間で折り返して両端部をフェンス部２に固定して連結部１３を設ける構造は、簡単かつ容易に植物ユニット７を連結可能な連結部１３を設けることができる。ただ、連結部は、以上の構造には特定せず、植物ユニット７の連結具１４を脱着自在に連結できる他の全ての構造、例えば、紐体や線材をループ状に固定したものや、リング状の金具を固定したものも採用できる。
【００６０】
以上のシルトフェンス１００は、植物ユニット７をフェンス部２の複数箇所に交換自在に連結するので、植物４が経時的に劣化したり、シルトフェンス１００を別の現場で使用する際には、植物４を新しいものに交換しながら使用できる。とくに、植物４として、陸上に生育する陸上植物４ｂの葉や枝を束ねて植物ユニット７として配置する構造においては、水生植物とは異なり、経時的に植物４が劣化するので、このような植物ユニット７を使用する場合には、植物４を交換することで、長期間にわたって水中の環境を保全できる。
【００６１】
図３のシルトフェンス１００は、複数の植物ユニット７を、フェンス部２の略全面にわたって均一に配置している。ここで、シルトフェンス１００は、フェンス部２に設ける植物ユニット７の数を多くすることで、水中環境を良好にして作用を向上できる。ただ、フェンス部２に設ける植物ユニット７は、数が多過ぎるとコストが高くなると共に、多数の植物ユニット７の設置や交換に手間がかかり、必ずしも経済的ではない。したがって、シルトフェンス１００は、フェンス部２に配設する植物ユニット７の数や配列を調整して、植物ユニット７の密度とコストを考慮して配置される。図３のシルトフェンス１００は、水平方向に所定の間隔（ｋ）で複数の植物ユニット７を配設している。シルトフェンス１００は、前述のように、植物ユニットの密度とコストを考慮して、フェンス部２の全長（Ｌ）に対して水平方向に配置する植物ユニット７の個数と間隔（ｋ）を決定し、また、上下幅（Ｈ）に対して上下方向に配置する植物ユニット７の個数と間隔（ｋ）とを決定する。複数の植物ユニットが連結される密度は、シルトフェンスが設置される水域の環境に応じて種々に変更することができる。
【００６２】
さらに、図３に示すシルトフェンス１００は、フェンス部２の表面の複数箇所であって、上下左右に格子状に逢着された帯状の補強シート６の交差部６ｘに植物ユニット７を連結している。すなわち、図に示すフェンス部２は、上下方向と左右方向に逢着される補強シート６の交差する部分に植物ユニット７を連結することで、フェンス部２の全面にわたってマトリクス状に配置している。ただ、複数の植物ユニット７は、必ずしも全ての交差部６ｘに配置する必要はなく、連結されない部分を設けて植物ユニット７が配置される密度を小さくすることもできる。
【００６３】
図１０に示すシルトフェンス１００は、縦横に並べて配列される複数の植物ユニット７であって、上下に隣接して複数列に配列される複数の植物ユニット７の左右の位置をずらせて、上下に交互に設けて千鳥状に配置している。シルトフェンスは、これと同様に、左右に隣接して複数列に配列される複数の植物ユニット７の上下の位置をずらせて、左右に交互に配置することもできる。このように、フェンス部２の複数箇所に配置される植物ユニット７は、配置する植物ユニット７の個数や上下位置、間隔等を種々に変更して、シルトフェンスの設置場所に最適な環境を実現できるように配置される。
【００６４】
（実施形態２）
さらに、図１１に示すシルトフェンス２００は、フェンス部２の表面の複数箇所に配置される植物４を交換できる構造としている。図１１に示すシルトフェンス２００は、フェンス部２の上下の複数箇所に植物ユニット７を交換自在に配置する配置手段１６を備えている。図に示す配置手段１６は、複数の植物ユニット７が所定の間隔で脱着自在に固定された紐状の移送線材１７と、フェンス部２の下部に配置されて、移送線材１７が掛けられた滑車１８とを備えている。移送線材１７は、中間部を折返し部として滑車１８に掛けると共に、折返し部から延びる一対の延長部７Ａ、１７Ｂを水面まで延長し、さらに、一方の延長部１７Ａに複数の植物ユニット７を脱着自在に固定している。
【００６５】
図１１と図１２に示す配置手段１６は、移送線材１７に脱着自在に固定される植物ユニット７として、図９に示すように、植物４を陸上植物４ｂとする植物ユニット７を使用する状態を示している。すなわち、陸上植物４ｂを茎の部分で裁断してなる１本ないし複数本の植物片を備える植物ユニット７としている。図に示す植物ユニット７は、複数の植物片の茎部分を結束部材２５で一つに束ねて結束すると共に、結束された植物ユニット７を連結具１４である紐状体１４Ａを介して移送線材１７に脱着自在に連結している。図の配置手段１６は、滑車１８に掛けられた移送線材１７の一方の延長部１７Ａに、複数の植物ユニット７を脱着自在に固定している。複数の植物ユニット７は、上下方向に離間して所定の間隔で固定されている。この配置手段１６は、フェンス部２の上下幅（Ｈ）とコストを考慮して、上下方向に配置する植物ユニット７の個数と間隔（ｋ）を決定する。
【００６６】
図の配置手段１６は、複数の植物ユニット７が固定される移送線材１７をロープとしている。ロープである移送線材１７は、中間部を滑車１８に掛ける状態で水中に配置されている。図８の移送線材１７は、一方の延長部１７Ａ（図において左側）には複数の植物ユニット７を所定の間隔（ｋ）で連結しながら水面まで延長し、他方の延長部１７Ｂ（図において右側）はそのまま水面まで延長している。ロープである移送線材１７は、例えば、図９の拡大図に示すように、連結リング１９を挿通して固定すると共に、この連結リング１９に植物ユニット７の連結具１４である紐状体１４Ａを脱着自在に連結できるようにしている。図に示す配置手段１６は、連結リング１９を金属リングとするが、連結リング１９はロープに固定された紐体をリング状に形成したものとすることもできる。
【００６７】
滑車１８は、図１１と図１２に示すように、フェンス部２の下端部に、垂直面内で回転できるように固定されている。滑車１８は、外周面に移送線材１７を案内する嵌入溝１８Ａが設けられており、この嵌入溝１８Ａに案内された移送線材１７を移動させる状態で回転できるように、回転軸２０を介してフェンス部２に固定されている。さらに、滑車１８に掛けられた移送線材１７が嵌入溝１８Ａから外れないように、滑車１８の下側半分には正面視半円状の滑車カバー２１が設けられている。この滑車カバー２１は、滑車１８に掛けられた移送線材１７の一方の延長部１７Ａ（１７Ｂ）を上方に引っ張る状態では、滑車１８をスムーズに回転させて、かつ滑車１８から移送線材１７が外れるのを防止する。滑車１８及び滑車カバー２１は、例えば、ステンレス等の金属製で、自重により水中に沈降する比重としている。このように、水中において沈降する滑車１８及び滑車カバー２１により、滑車１８に掛けられた移送線材１７は水面から水底に向かって張設された状態で配置される。ただ、滑車と滑車カバーはプラスチック製とすることもできる。滑車と滑車カバーをプラスチック製とする構造は、下端に錘を設けることで水中で沈降させることができる。
【００６８】
滑車１８は、図１２の一部拡大図に示すように、水中に吊り下げられた状態では、回転軸２０が水平姿勢となるように配置されている。このことを実現するために、滑車１８の回転軸２０は、図１２と図１３の一部拡大図に示すように吊り下げバンド２２を介して吊り下げられている。すなわち、滑車１８の回転軸２０は、直接にフェンス部２に固定されることなく、吊り下げバンド２２を介してフェンス部２に固定されている。この構造は、水中において自重で落下する滑車１８の回転軸２０を、滑車１８の両側において吊り下げバンド２２で支承するので、回転軸２０を確実に水平姿勢に保持できる。
【００６９】
滑車１８の位置は、水底に近いほど、植物ユニット７を水中の深い位置まで移送して配置できる。ただ、滑車１８は、図１２の（ｂ）で示すように水底に接触すると、正しく駆動しなくなるおそれがある。したがって、滑車１８は、図１１に示すように、フェンス部２の下部であって、好ましくはフェンス部２の下端よりもある程度上方に配置される。滑車１８の固定位置は、図１２の（ａ）に示すように、少なくとも満潮時等の海面の上昇位置において、海底に接触しない位置とすることが好ましい。図１１のフェンス部２は、滑車１８を配置する位置であって、フェンス部２の下端からの距離（ｔ）をフェンス部２の上下幅（Ｈ）の約１／６としている。ただ、滑車１８を設ける位置は、フェンス部２の下端からの距離（ｔ）がフェンス部２の上下幅（Ｈ）の１／２以内、好ましくは１／４以内となる位置とすることができる。
【００７０】
さらに、水面まで延長された移送線材１７の両端部を固定するために、水面近くにはリング２３が配置されている。滑車１８から水面まで延長された延長部１７Ａ、１７Ｂは、水面近くにおいてこのリング２３に挿通されている。図１１に示すリング２３は、略円形としている。このリング２３は、一端がフェンス部２の上端又はフロート部１に連結されており、このリング２３に移送線材１７の上端部を挿通して連結することで、移送線材１７の両端部の位置を把握しながら管理することができる。移送線材１７の両端部は、例えば、リングに結びつけて、あるいは連結具（図示せず）を介してリングに固定することができる。
【００７１】
以上の配置手段は、植物４を交換する際には、複数の植物ユニット７が固定された延長部１７Ａを上方に引っ張って植物ユニット７を水面まで引き上げることで、植物ユニット７を取り外して簡単に交換できる。また、植物ユニット７を新しいものと交換した後、植物ユニット７が固定されない側の延長部１７Ｂを上方に引っ張ることで、植物ユニット７が固定された側の延長部１７Ａを水中に沈降させて、植物ユニット７を水中の定位置に配置できる。なお、以上のように植物ユニット７を交換する場合は、図１２の（ａ）で示すように、満潮時等のように海面が上昇位置にあるタイミングであって、少なくとも滑車１８が水底に接触していない状態で行うことが好ましい。
【００７２】
（実施形態３）
さらに、図１３に示すシルトフェンス３００は、フェンス部２に配置された植物４にエアーを供給するエアー供給装置８を備えている。図のエアー供給装置８は、フェンス部２の下部に配置されて、供給されるエアーを気泡として吐出する気泡発生部６１と、気泡発生部６１に給気ホース６２を介してエアーを供給するエアー供給ポンプ６３とを備えている。
【００７３】
図１３のシルトフェンス３００は、フェンス部の下端部の中央部に気泡発生部６１を配置している。図に示す気泡発生部６１は、フェンス部２の長さ方向である左右方向の広い領域に気泡を吐出できるように、左右方向に延長された棒状としている。この気泡発生部６１には給気ホース６２を介してエアー供給ポンプ６３に連結されている。給気ホース６２は、フェンス部２の下端からフロート部１まで延長されると共に、水面上からさらに陸上まで延長されて、陸上に配置されたエアー供給ポンプ６３まで延長して配管されている。以上のエアー供給装置８は、エアー供給ポンプ６３を駆動させて、気泡発生部６１にエアーを供給することで、フェンス部２の下部に配置された気泡発生部から吐出される気泡を、フェンス部２に配置された植物４に供給できる。これにより、フェンス部２に配置された植物４や、この植物４を隠れ家として生息する水棲動物に多量の酸素を供給できる。これにより、フェンス部２の近傍における水棲動物の生活環境をさらに良好にできる。
【００７４】
（実施形態４）
さらに、図１４に示すシルトフェンス４００は、水面上に浮遊するフロート部１を発光させる発光装置９を備えている。図に示す発光装置９は、フロート部１に内蔵された発光素子６５と、発光素子６５に電力供給する電源部６６と、発光素子６５の発光状態を制御する制御部６７とを備えている。
【００７５】
フロート部１は、浮き部材１１の周囲を被覆するカバー部１２を透光性部材として、内蔵される発光素子６５の発光を外部に透過させる構造としている。図に示すフロート部１は、カバー部１２に内蔵される浮き部材１１を球形としており、球形の浮き部材１１を複数個（図では４個）を１列に並べてカバー部１２に収納している。
【００７６】
発光素子６５はＬＥＤで、複数のＬＥＤを球状の浮き部材１１の配列方向に並べて配置している。図に示す発光装置９は、発光素子６５であるＬＥＤを、カバー部１２の内部であって、浮き部材１１の表面に配置している。フロート部１に内蔵される発光素子６５は、電源ライン６８を介して電源部６６から電力が供給される。電源ライン６８は、カバー部１２から水密に引き出されると共に、水面からさらに陸上まで延長されて、陸上に配置された電源部６６に配線されている。電源部６６は、発光素子６５に電力を供給して発光素子６５を発光させる。電源部６６は、商用電源とすることもできるが、太陽電池と充電電池を組み合わせた電源装置とすることもできる。
【００７７】
図に示す発光装置９は、発光素子６５の発光パターンを制御する制御部６７を備えており、所定の条件下において電源部６６から供給される電力を発光素子６５に供給して発光素子６５を発光させる構造としている。この発光装置９は、例えば、周囲が暗くなる時間帯を記憶しており、あるいは、周囲が暗くなったことをセンサーで感知すると、発光素子６５に電力を供給して発光素子６５を発光させる。このように周囲が暗くなる夜間等において、フロート部１に内蔵された発光素子６５を発光させることで、周囲にフロート部１の位置を知らせることができ、近辺を通過する船舶にシルトフェンス４００の存在を明確に表示して、夜間等における周辺水域の安全を確保できる。さらに、発光装置は、図示しないが、複数の発光素子で文字列を形成するように配置することができ、あるいは複数の発光素子をパネル状に配置して特定の文字を表示することもできる。この発光装置は、工事を施工する会社名を表示し、あるいは工期等を表示することで、周囲に対して工事現場の情報を伝えることができる。
【産業上の利用可能性】
【００７８】
本発明のシルトフェンスは、海、河川、湖沼、池、ダム等の沿岸や水底の土木工事の周辺水域において、工事に伴って発生する汚濁が外部の水域に拡散されるのを防止し、かつ、汚濁領域の外側の水域の水中環境を良好にできるシルトフェンスとして、沿岸や水底等の土木工事の現場において好適に使用できる。
【符号の説明】
【００７９】
１００、２００、３００、４００…シルトフェンス
１…フロート部
２…フェンス部
３…ウエイト部
４…植物
４ａ…水生植物
４ｂ…陸上植物
５…シート材
６…補強シート
６ｘ…交差部
７…植物ユニット
８…エアー供給装置
９…発光装置
１０…フェンスユニット
１１…浮き部材
１２…カバー部
１３…連結部
１４…連結具
１４Ａ…紐状体
１５…固定具
１６…配置手段
１７…移送線材
１７Ａ…延長部
１７Ｂ…延長部
１８…滑車
１８Ａ…嵌入溝
１９…連結リング
２０…回転軸
２１…滑車カバー
２２…吊り下げバンド
２３…リング
２４…着生部材
２４Ａ…プラスチック発泡体
２４Ｂ…岩石
２４Ｃ…木材
２５…結束部材
２６…収納部材
２６Ａ…ポット
２６Ｂ…筒体
３１…サブフロート
３２…アンカー
３３…連結線材
３４…アンカーワイヤー
５１…工事領域
５２…汚濁水域
５３…外側水域
６１…気泡発生部
６２…給気ホース
６３…エアー供給ポンプ
６５…発光素子
６６…電源部
６７…制御部
６８…電源ライン
【図１】
2019131969.tif 000003
【図２】
2019131969.tif 000004
【図３】
2019131969.tif 000005
【図４】
2019131969.tif 000006
【図５】
2019131969.tif 000007
【図６】
2019131969.tif 000008
【図７】
2019131969.tif 000009
【図８】
2019131969.tif 000010
【図９】
2019131969.tif 000011
【図１０】
2019131969.tif 000012
【図１１】
2019131969.tif 000013
【図１２】
2019131969.tif 000014
【図１３】
2019131969.tif 000015
【図１４】
2019131969.tif 000016